(57)【要約】      （修正有）【課題】顧客の来店頻度や購入金額を効果的に高めることができるとともに、顧客の継続的な参加を促すことが可能な販売促進用あみだくじゲーム式カードを提供する。【解決手段】販売促進用あみだくじゲーム式カード１０は、顧客が所定の条件を満たしたことに基づきスタンプ枠２１，２５にスタンプが捺印されるあみだくじゲーム欄１００を有する。そして、あみだくじゲーム欄１００は、中心に配置される中心スタンプ枠２１と、中心スタンプ枠２１の中心から放射状に延びる複数のストレートライン２３と、複数のストレートライン２３上のそれぞれに、中心スタンプ枠２１の中心から外側に順次配置される１又は複数のストレートラインスタンプ枠２５と、ストレートライン２３の外側端部に配置されるコンプリートマーク２７と、を含む。【選択図】図１
0003210978.tif 000002
【実用新案登録請求の範囲】
【請求項１】
スタンプを付与するためのスタンプ枠が複数配置され、顧客が所定の条件を満たしたことに基づき前記スタンプ枠に前記スタンプが捺印されるあみだくじゲーム欄を有する販売促進用あみだくじゲーム式カードであって、
前記あみだくじゲーム欄は、
中心に配置される中心スタンプ枠と、
前記中心スタンプ枠の中心から放射状に延びる複数のストレートラインと、
前記複数のストレートライン上のそれぞれに、前記中心スタンプ枠の中心から外側に順次配置される１又は複数のストレートラインスタンプ枠と、
前記ストレートラインの外側端部に配置されるコンプリートマークと、
を含むことを特徴とする販売促進用あみだくじゲーム式カード。
【請求項２】
請求項１に記載の販売促進用あみだくじゲーム式カードにおいて、
前記複数のストレートライン上のそれぞれに配置される前記ストレートラインスタンプ枠が、同一円周上に配置されることを特徴とする販売促進用あみだくじゲーム式カード。
【請求項３】
請求項１又は２に記載の販売促進用あみだくじゲーム式カードにおいて、
最も外側の前記ストレートラインスタンプ枠と前記コンプリートマークとが重畳して配置されることを特徴とする販売促進用あみだくじゲーム式カード。
【請求項４】
請求項１〜３のいずれか１項に記載の販売促進用あみだくじゲーム式カードにおいて、
隣り合う前記ストレートライン又は前記ストレートラインスタンプ枠をつなぐコネクターラインを備えることを特徴とする販売促進用あみだくじゲーム式カード。
【請求項５】
請求項４に記載の販売促進用あみだくじゲーム式カードにおいて、
前記コネクターラインが円弧形状であることを特徴とする販売促進用あみだくじゲーム式カード。
【請求項６】
請求項５に記載の販売促進用あみだくじゲーム式カードにおいて、
複数の前記コネクターラインが同一円周上に配置されることを特徴とする販売促進用あみだくじゲーム式カード。
【請求項７】
請求項４〜６のいずれか１項に記載の販売促進用あみだくじゲーム式カードにおいて、
前記コネクターライン上に、前記スタンプが捺印されるコネクターラインスタンプ枠を備えることを特徴とする販売促進用あみだくじゲーム式カード。
【請求項８】
請求項１〜７のいずれか１項に記載の販売促進用あみだくじゲーム式カードにおいて、
前記スタンプ枠は、写真、図形、文字、記号および数字のいずれか１つ又はこれらの組み合わせで構成されることを特徴とするあみだくじゲーム式カード。
【請求項９】
請求項１〜７のいずれか１項に記載の販売促進用あみだくじゲーム式カードにおいて、
同一の前記ストレートライン上に配置される前記複数のストレートラインスタンプ枠に、同一曜日を示す文字が記載されることを特徴とするあみだくじゲーム式カード。
【考案の詳細な説明】
【技術分野】
【０００１】
本考案は、顧客が所定の条件を満たしたことに基づきスタンプ枠にスタンプが捺印される販売促進用あみだくじゲーム式カードに関するものである。
【背景技術】
【０００２】
近年、多くの小売店等が、新規顧客の獲得や顧客の維持のために販売促進サービスを実施している。従来公知の販売促進サービスとしては、ポイントを付与するための特典カードを作成し、来店や商品の購入金額に応じてポイントを付与し、貯まったポイントに応じて特典を得ることができるサービスが行われている。例えば、下記の特許文献１には、販売金額に応じたポイント数と、くじにより得られるポイント数を合算し、合計ポイント数を磁気カードに入力して発行する販売促進用ポイントカードシステムにおける点数処理方法が開示されている。
【先行技術文献】
【特許文献】
【０００３】
【特許文献１】特開平７−１２９６７８号公報
【考案の概要】
【考案が解決しようとする課題】
【０００４】
しかしながら、多くの小売店等が類似した販売促進サービスを導入したため、上記のような販売促進サービスは、他の小売店等との差別化を図ることができず、顧客の興味を引くことが難しくなっているという実情があった。そのため、小売店等で商品又はサービスを購入した顧客が特典カードを作成しない、或いは特典カードを作成しても途中で参加しなくなるという可能性が高くなり、販売促進の効果を十分に発揮できないという課題があった。
【０００５】
また、上掲の特許文献１に記載の販売促進用ポイントカードは、顧客が商品又はサービスを購入する際に付随的にポイントが付与されるというものであり、顧客の来店頻度や購入金額を効果的に高めることが難しいという課題があった。
【０００６】
本考案は、上述した課題を解決するために成されたものであり、その目的は、顧客の来店頻度や購入金額を効果的に高めることができるとともに、顧客の継続的な参加を促すことが可能な販売促進用あみだくじゲーム式カードを提供することにある。
【課題を解決するための手段】
【０００７】
本考案に係る販売促進用あみだくじゲーム式カードは、スタンプを付与するためのスタンプ枠が複数配置され、顧客が所定の条件を満たしたことに基づき前記スタンプ枠に前記スタンプが捺印されるあみだくじゲーム欄を有する販売促進用あみだくじゲーム式カードであって、前記あみだくじゲーム欄は、中心に配置される中心スタンプ枠と、前記中心スタンプ枠の中心から放射状に延びる複数のストレートラインと、前記複数のストレートライン上のそれぞれに、前記中心スタンプ枠の中心から外側に順次配置される１又は複数のストレートラインスタンプ枠と、前記ストレートラインの外側端部に配置されるコンプリートマークと、を含むことを特徴とするものである。
【０００８】
また、本考案に係る販売促進用あみだくじゲーム式カードは、前記複数のストレートライン上のそれぞれに配置される前記ストレートラインスタンプ枠が、同一円周上に配置されることとすることができる。
【０００９】
さらに、本考案に係る販売促進用あみだくじゲーム式カードは、最も外側の前記ストレートラインスタンプ枠と前記コンプリートマークとが重畳して配置されることとすることができる。
【００１０】
またさらに、本考案に係る販売促進用あみだくじゲーム式カードは、隣り合う前記ストレートライン又は前記ストレートラインスタンプ枠をつなぐコネクターラインを備えることとすることができる。
【００１１】
さらにまた、本考案に係る販売促進用あみだくじゲーム式カードは、前記コネクターラインが円弧形状であることとすることができる。
【００１２】
また、本考案に係る販売促進用あみだくじゲーム式カードは、複数の前記コネクターラインが同一円周上に配置されることとすることができる。
【００１３】
さらに、本考案に係る販売促進用あみだくじゲーム式カードは、前記コネクターライン上に、前記スタンプが捺印されるコネクターラインスタンプ枠を備えることとすることができる。
【００１４】
またさらに、本考案に係る販売促進用あみだくじゲーム式カードは、前記スタンプ枠は、写真、図形、文字、記号および数字のいずれか１つ又はこれらの組み合わせで構成されることとすることができる。
【００１５】
さらにまた、本考案に係る販売促進用あみだくじゲーム式カードは、同一の前記ストレートライン上に配置される前記複数のストレートラインスタンプ枠に、同一曜日を示す文字が記載されることとすることができる。
【考案の効果】
【００１６】
本考案によれば、顧客の来店頻度や購入金額を効果的に高めることができるとともに、顧客の継続的な参加を促すことが可能な販売促進用あみだくじゲーム式カードを提供することができる。
【図面の簡単な説明】
【００１７】
【図１】第一の実施形態に係る販売促進用あみだくじゲーム式カードの構成例を示す概略図である。
【図２】第一の実施形態に係る販売促進用あみだくじゲーム式カードの特典の例を示す特典表を例示する概略図である。
【図３】第一の変形例に係るあみだくじゲーム欄の構成例を示す概略図である。
【図４】第二の変形例に係るあみだくじゲーム欄の構成例を示す概略図である。
【図５】第三の変形例に係るあみだくじゲーム欄の構成例を示す概略図である。
【図６】第四の変形例に係るあみだくじゲーム欄の構成例を示す概略図である。
【図７】第四の変形例に係る特典表を例示する概略図である。
【図８】第二の実施形態に係るあみだくじゲーム欄を有する販売促進用あみだくじゲーム式カードの構成例を示す概略図である。
【図９】第三の実施形態に係るあみだくじゲーム欄を有する販売促進用あみだくじゲーム式カードの構成例を示す概略図である。
【考案を実施するための形態】
【００１８】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１９】
まず、第一の実施形態に係る販売促進用あみだくじゲーム式カード１０の構成例について、図１を用いて説明する。ここで、図１は、第一の実施形態に係る販売促進用あみだくじゲーム式カードの構成例を示す概略図である。
【００２０】
図１に示すように、第一の実施形態に係る販売促進用あみだくじゲーム式カード１０は、スタンプを付与するためのスタンプ枠２１，２５が複数配置され、顧客が所定の条件を満たしたことに基づきスタンプ枠２１，２５にスタンプが捺印されるあみだくじゲーム欄１００を有して構成される。
【００２１】
本実施形態に係る販売促進用あみだくじゲーム式カード１０は、スタンプを捺印可能な素材を用いて構成され、スタンプを捺印可能であること、ならびにコスト面から、例えば、紙製のカードを用いて構成することができる。本実施形態に係る販売促進用あみだくじゲーム式カード１０は、顧客がレジで支払いをする際に提示し易いように、財布やカード入れに収まるサイズであることが好ましい。また、あみだくじゲーム欄１００は、利便性の観点から、販売促進用あみだくじゲーム式カード１０の表面又は裏面のどちらかの面に収まるサイズであることが好ましい。
【００２２】
本実施形態に係る販売促進用あみだくじゲーム式カード１０には、販売促進用あみだくじゲームを実施するキャンペーン実施期間が記載されることが好ましい。このキャンペーン実施期間の記載は、販売促進用あみだくじゲーム式カード１０において、図１に示すように、あみだくじゲーム欄１００が配置される面と同じ面に配置しても良いし、あみだくじゲーム欄１００が配置される面とは異なる面に配置しても良い。
【００２３】
本実施形態に係るあみだくじゲーム欄１００は、中心に配置される中心スタンプ枠２１と、中心スタンプ枠２１の中心から放射状に延びる複数のストレートライン２３と、複数のストレートライン２３上のそれぞれに、中心スタンプ枠２１の中心から外側に順次配置される複数のストレートラインスタンプ枠２５（２５ａ，２５ｂ）と、ストレートライン２３の外側端部に配置されるコンプリートマーク２７と、を含んで構成される。ここで、「あみだくじゲーム」とは、通常のあみだくじと類似するゲームであり、複数のラインのうちの一又は複数本のライン上のスタンプ枠を埋めることで、スタンプ枠が埋められたラインに応じたポイントや景品などの所定の特典を得ることができるゲームをいう。
【００２４】
中心スタンプ枠２１は、あみだくじゲーム欄１００の中心に配置されるスタンプ枠である。中心スタンプ枠２１には、図１に示すように、何も記載しなくてもよいし、写真、図形、文字、記号および数字のいずれか１つ又はこれらの組み合わせで構成されることとしてもよい。
【００２５】
中心スタンプ枠２１は、例えば、キャンペーン実施期間の前の特定の期間、又は、キャンペーン実施期間の前の特定の期間およびキャンペーン実施期間に、顧客が所定の条件を満たしたことに基づきスタンプが捺印されることとすることができる。この所定の条件とは、例えば、販売促進用あみだくじゲームを実施している小売店等において、顧客の購入金額が所定の金額以上であった場合、特定の商品を購入した場合、又は顧客が来店した場合などとすることができる。なお、顧客が所定の条件を満たした場合に、予めスタンプが中心スタンプ枠２１に捺印された販売促進用あみだくじゲーム式カード１０を顧客に配布することとしても良い。
【００２６】
ストレートライン２３は、中心スタンプ枠２１の中心から放射状に延びる線である。本実施形態では、８本のストレートライン２３が放射状に等間隔で配置されている。また、本実施形態では、複数のストレートライン２３が略同一の長さを有して形成されている。しかし、ストレートライン２３の数は適宜変更することが可能であり、また、等間隔で配置しなくてもよい。また、複数のストレートライン２３が異なる長さを有して形成されてもよい。
【００２７】
ストレートラインスタンプ枠２５（２５ａ，２５ｂ）は、複数のストレートライン２３上のそれぞれに、中心スタンプ枠２１の中心から外側に順次配置されるスタンプ枠である。本実施形態では、８本のストレートライン２３上のそれぞれに、２個のストレートラインスタンプ枠２５（２５ａ，２５ｂ）が配置されている。また、本実施形態では、複数の内側のストレートラインスタンプ枠２５ａおよび複数の外側のストレートラインスタンプ枠２５ｂのそれぞれが、同一円周上に配置されている。しかし、ストレートラインスタンプ枠２５の数は適宜変更することが可能であり、複数のストレートライン２３上のそれぞれに配置されるストレートラインスタンプ枠２５の数が異なっていてもよいし、また、複数のストレートラインスタンプ枠２５が同一円周上に配置されていなくてもよい。
【００２８】
ストレートラインスタンプ枠２５は、写真、図形、文字、記号および数字のいずれか１つ又はこれらの組み合わせで構成されることとすることができる。ストレートラインスタンプ枠２５には、例えば、特定の日にち、曜日、週、期間、購入金額又は商品などを示す写真、図形、文字、記号又は数字などを記載することができる。ストレートラインスタンプ枠２５に、例えば、来店者数が少ない日、曜日、週、又は期間やより高い購入金額を示す文字、記号又は数字を記載することで、顧客の来店頻度や購入金額を効果的に高めることができるようになる。また、例えば、ストレートラインスタンプ枠２５に、特定の商品を示す写真、図形又は文字を記載することで、その特定の商品のプロモーションにつながることとなる。
【００２９】
図１に示すように、本実施形態では、７本のストレートライン２３上に配置される複数のストレートラインスタンプ枠２５（２５ａ，２５ｂ）に、同一の曜日を示す文字が記載されている。このような構成により、同じ曜日にしか来店できない顧客に対してキャンペーンへの参加を促すことができるようになっている。また、本実施形態では、１本のストレートライン２３上に配置される複数のストレートラインスタンプ枠２５（２５ａ，２５ｂ）に星形の記号が記載されている。星形の記号が記載されるストレートラインスタンプ枠２５（２５ａ，２５ｂ）は、それらを区別するために、特に限定されないが、内側のストレートラインスタンプ枠２５ａに記載される星形の記号が白抜きで表されているとともに、外側のストレートラインスタンプ枠２５ｂに記載される星形の記号が黒色で表されている。そして、本実施形態では、販売促進用あみだくじゲーム式カード１０の右下に、白抜きで表された星型の記号が記載されるストレートラインスタンプ枠２５ａおよび黒色で表された星形の記号が記載されるストレートラインスタンプ枠２５ｂにスタンプが捺印される条件が記載されている。具体的には、特に限定されないが、白抜きで表された星型の記号が記載されるストレートラインスタンプ枠２５ａは、顧客の購入金額が５０００円以上である場合にスタンプが捺印され、また、黒色で表された星形の記号が記載されるストレートラインスタンプ枠２５ｂは、顧客の購入金額が１００００円以上である場合にスタンプが捺印される。このような構成により、来店頻度を高めることができない顧客も、購入金額を高めることでキャンペーンに参加できることとしている。
【００３０】
コンプリートマーク２７は、ストレートライン２３の外側端部に配置されるマークである。本実施形態では、コンプリートマーク２７の形状は星形に形成されている。しかし、コンプリートマーク２７は、スタンプ枠２１，２５と区別可能であれば、どのような形状であってもよい。本実施形態では、複数のコンプリートマーク２７を区別するために、複数のコンプリートマーク２７の中に１から８までのアラビア数字が記載されている。しかし、複数のコンプリートマーク２７を区別するための方法はこれに限定されず、例えば、複数のコンプリートマーク２７の中又は外方近傍に、異なる写真、図形、文字、記号又は数字を配置したり、複数のコンプリートマーク２７のそれぞれが異なる形状又は色を有して形成されて、複数のコンプリートマーク２７を区別することができるようにしてもよい。
【００３１】
以上、第一の実施形態に係る販売促進用あみだくじゲーム式カード１０の構成例について、説明した。次に、第一の実施形態に係る販売促進用あみだくじゲーム式カード１０の特典の例を示す特典表４０の構成例について、図２を用いて説明する。ここで、図２は、第一の実施形態に係る販売促進用あみだくじゲーム式カードの特典の例を示す特典表を例示する概略図である。
【００３２】
図２に示すように、第一の実施形態に係る特典表４０は、複数のコンプリートマーク２７のそれぞれを表すコンプリートマーク表示欄４１と、顧客が得られる特典を示す特典表示欄４３と、から構成される。
【００３３】
コンプリートマーク表示欄４１は、複数のコンプリートマーク２７のそれぞれを表すものであり、区別された複数のコンプリートマーク２７を区別するための方法により記載される。具体的には、本実施形態のように、複数のコンプリートマーク２７を区別するために、複数のコンプリートマーク２７の中に１から８までのアラビア数字が記載されている場合には、コンプリートマーク表示欄４１には、複数のコンプリートマーク２７の中に記載された１から８までのアラビア数字が記載される。なお、その他の方法により複数のコンプリートマーク２７が区別された場合、その他の方法によりコンプリートマーク表示欄４１に記載される。
【００３４】
特典表示欄４３は、コンプリートマーク表示欄４１に表されたコンプリートマーク２７が配置されるストレートライン２３上の最も外側のストレートラインスタンプ枠２５ｂが捺印された場合に、顧客が得られる特典を示すものである。本実施形態に係る特典表示欄４３には、コンプリートマーク表示欄４１に応じて顧客が得られるポイントや特定の商品などの特典が記載されている。
【００３５】
以上、第一の実施形態に係る販売促進用あみだくじゲーム式カード１０の特典の例を示す特典表４０の構成例について、説明した。次に、第一の実施形態に係る販売促進用あみだくじゲーム式カード１０の使用方法について、図１および図２を用いて説明する。
【００３６】
まず、本実施形態に係る販売促進用あみだくじゲーム式カード１０では、キャンペーン実施期間の前の特定の期間、又は、キャンペーン実施期間の前の特定の期間およびキャンペーン実施期間に、顧客が所定の条件を満たしたことに基づき、中心スタンプ枠２１にスタンプが捺印される。この所定の条件とは、上述したように、例えば、販売促進用あみだくじゲームを実施している小売店等において、顧客の購入金額が所定の金額以上であった場合、特定の商品を購入した場合、又は顧客が来店した場合などとすることができる。なお、顧客が所定の条件を満たした場合に、予めスタンプが中心スタンプ枠２１に捺印された販売促進用あみだくじゲーム式カード１０を顧客に配布することとしても良い。
【００３７】
次に、中心スタンプ枠２１にスタンプが捺印された販売促進用あみだくじゲーム式カード１０を有する顧客が、ストレートラインスタンプ枠２５ａに記載されたいずれかの曜日に所定の条件を満たしたこと、又は、白抜きで表された星型の記号が記載されるストレートラインスタンプ枠２５ａにスタンプが捺印される条件を満たしたことに基づき、内側のストレートラインスタンプ枠２５ａにスタンプが捺印される。
【００３８】
ここで、本実施形態では、特に限定されないが、曜日を示す文字が記載されるストレートラインスタンプ枠２５（２５ａ，２５ｂ）にスタンプが捺印される所定の条件を顧客の購入金額が２０００円以上である場合とし、白抜きで表された星型の記号が記載されるストレートラインスタンプ枠２５ａにスタンプが捺印される所定の条件は、顧客の購入金額が５０００円以上である場合とし、また、黒色で表された星形の記号が記載されるストレートラインスタンプ枠２５ｂにスタンプが捺印される所定の条件は、顧客の購入金額が１００００円以上である場合として、以下の説明を行う。
【００３９】
具体的には、ストレートラインスタンプ枠２５ａに記載されたいずれかの曜日に来店した顧客の購入金額が２０００円以上５０００円未満であった場合、当該曜日を示す文字が記載される内側のストレートラインスタンプ枠２５ａにスタンプが捺印される。一方、ストレートラインスタンプ枠２５ａに記載されたいずれかの曜日に来店した顧客の購入金額が５０００円以上であった場合、顧客は、当該曜日を示す文字が記載されるストレートラインスタンプ枠２５ａ、又は白抜きで表された星形の記号が記載されるストレートラインスタンプ枠２５ａのいずれかを選択し、選択されたストレートラインスタンプ枠２５ａにスタンプが捺印される。
【００４０】
そして、本実施形態では、内側のストレートラインスタンプ枠２５ａにスタンプが捺印された後、外側のストレートラインスタンプ枠２５ｂにスタンプが捺印される所定の条件を満たしたことに基づき、外側のストレートラインスタンプ枠２５ｂにスタンプが捺印される。
【００４１】
具体的には、いずれかの曜日を示す文字が記載される内側のストレートラインスタンプ枠２５ａにスタンプが捺印された後、当該同じ曜日に来店した顧客の購入金額が２０００円以上であった場合、当該曜日を示す文字が記載される外側のストレートラインスタンプ枠２５ｂにスタンプが捺印される。また、白抜きで表された星形の記号が記載されるストレートラインスタンプ枠２５ａにスタンプが捺印された後、顧客の購入金額が１００００円以上であった場合、黒色で表された星形の記号が記載されるストレートラインスタンプ枠２５ｂにスタンプが捺印される。なお、上述した場合と同様に、白抜きで表された星形の記号が記載されるストレートラインスタンプ枠２５ａにスタンプが捺印された後、ストレートラインスタンプ枠２５（２５ａ，２５ｂ）に記載されたいずれかの曜日に来店した顧客の購入金額が１００００円以上であった場合、顧客は、当該曜日を示す文字が記載されるストレートラインスタンプ枠２５（２５ａ，２５ｂ）、又は黒色で表された星形の記号が記載されるストレートラインスタンプ枠２５ｂのいずれかを選択し、選択されたストレートラインスタンプ枠２５（２５ａ，２５ｂ）にスタンプが捺印される。
【００４２】
本実施形態では、ストレートライン２３上の中心スタンプ枠２１、内側のストレートラインスタンプ枠２５ａ、および外側のストレートラインスタンプ枠２５ｂにスタンプが捺印されると、そのストレートライン２３上のスタンプ枠２１，２５が全て埋められて完成したこととなり、顧客は当該ストレートライン２３に応じたポイントや景品などの所定の特典を得ることができる。
【００４３】
本実施形態では、ポイントや景品などの所定の特典の付与は、図２に示すように、コンプリートマーク表示欄４１に記載されたアラビア数字がその中に記載されたコンプリートマーク２７が外側端部に配置されるストレートライン２３上の全てのスタンプ枠２１，２５にスタンプが捺印されて、そのストレートライン２３が完成した場合、当該コンプリートマーク表示欄４１に対応する特典表示欄４３に記載された特典が顧客に付与される。
【００４４】
具体的には、例えば、顧客が日曜日に来店して２０００円以上購入して内側のストレートラインスタンプ枠２５ａにスタンプが捺印された後、同じ曜日である日曜日に来店して２０００円以上購入して外側のストレートラインスタンプ枠２５ｂにスタンプが捺印されて、アラビア数字の“１”がその中に記載されたコンプリートマーク２７がその外側端部に配置されるストレートライン２３上の全てのスタンプ枠２１，２５にスタンプが捺印されて完成した場合、図２に示される特典表４０において、アラビア数字の“１”が記載されるコンプリートマーク表示欄４１に対応する特典表示欄４３に記載される“５０ポイント”が特典として顧客に付与される。また、例えば、顧客が５０００円以上購入し、白抜きで表された星形の記号が記載されるストレートラインスタンプ枠２５ａにスタンプが捺印された後、顧客が１００００円以上購入し、黒色で表された星形の記号が記載されるストレートラインスタンプ枠２５ｂにスタンプが捺印されて、アラビア数字の“８”がその中に記載されたコンプリートマーク２７がその外側端部に配置されるストレートライン２３上の全てのスタンプ枠２１，２５にスタンプが捺印されて完成した場合、図２に示される特典表４０において、アラビア数字の“８”が記載されるコンプリートマーク表示欄４１に対応する特典表示欄４３に記載される“１０００ポイント”が特典として顧客に付与される。
【００４５】
本実施形態では、特典表４０は、キャンペーン実施期間後に、例えば、店頭で発表されることとすることができる。キャンペーン実施期間後に特典表４０が発表されることにより、キャンペーン実施期間中、顧客は何を得られるのか期待しつつキャンペーンに参加することができる。したがって、本考案によれば、顧客の来店頻度や購入金額を効果的に高めることができるとともに、顧客の継続的な参加を促すことが可能な販売促進用あみだくじゲーム式カード１０を提供することができる。
【００４６】
なお、顧客が複数本のストレートライン２３上の全てのスタンプ枠２１，２５を埋めて、複数本のストレートライン２３を完成させた場合、複数の特典を得ることができる。したがって、本考案によれば、顧客の来店頻度や購入金額を効果的に高めることができるとともに、顧客の継続的な参加を促すことが可能な販売促進用あみだくじゲーム式カード１０を提供することができる。
【００４７】
以上、第一の実施形態に係る販売促進用あみだくじゲーム式カード１０の使用方法について、説明した。次に、第一の変形例に係るあみだくじゲーム欄１１０について、図３を用いて説明する。ここで、図３は、第一の変形例に係るあみだくじゲーム欄の構成例を示す概略図である。なお、上述した実施形態と同一又は類似する構成については、同じ符号を付して説明を省略する場合がある。
【００４８】
図３に示すように、第一の変形例に係るあみだくじゲーム欄１１０は、中心に配置される中心スタンプ枠２１と、中心スタンプ枠２１の中心から放射状に延びる複数のストレートライン２３と、複数のストレートライン２３上のそれぞれに、中心スタンプ枠２１の中心から外側に順次配置される複数のストレートラインスタンプ枠２５（２５ａ，２５ｂ）と、ストレートライン２３の外側端部に配置されるコンプリートマーク２７と、隣り合うストレートライン２３又はストレートラインスタンプ枠２５（２５ａ，２５ｂ）をつなぐコネクターライン２９と、を含んで構成される。
【００４９】
コネクターライン２９は、隣り合うストレートライン２３又はストレートラインスタンプ枠２５をつなぐ線である。コネクターライン２９は、隣り合うストレートライン２３又はストレートラインスタンプ枠２５をつなぐことができていれば、直線であってもよいし、曲線であってもよい。本例では、図３に示すように、コネクターライン２９は、隣り合うストレートラインスタンプ枠２５ｂをつなぐ円弧形状の線であって、その一端に矢尻形状である矢尻形状部２９ａを有して構成される。本例では、コネクターライン２９において矢尻形状部２９ａとは反対側の他端に配置されるストレートラインスタンプ枠２５ｂにスタンプが捺印されると、矢尻形状部２９ａの矢印の方向で示されるとともに、そのストレートラインスタンプ枠２５ｂと隣り合って配置されるストレートラインスタンプ枠２５ｂにスタンプを捺印することができるようになっている。なお、本例では、２本のコネクターライン２９が、外側のストレートラインスタンプ枠２５ｂをつなぎ、同一円周上に配置されているが、コネクターライン２９の数や配置は適宜変更可能である。
【００５０】
本例では、図３に示すように、白抜きで表された星形の記号が記載されるストレートラインスタンプ枠２５ａにスタンプが捺印された後、黒色で表された星形の記号が記載されるストレートラインスタンプ枠２５ｂにスタンプが捺印された場合、顧客がコネクターライン２９の矢尻形状部２９ａの矢印の方向で示された土曜日又は日曜日に来店して購入金額が２０００円以上となった際、土曜日又は日曜日を示す文字が記載された内側のストレートラインスタンプ枠２５ａにスタンプが捺印されていることを必要とせずに、土曜日又は日曜日を示す文字が記載された外側のストレートラインスタンプ枠２５ｂにスタンプを捺印することができるようになっている。そして、顧客は、コンプリートマーク２７が配置されるストレートライン２３上の最も外側のストレートラインスタンプ枠２５ｂが捺印された場合に特典を得られるので、土曜日又は日曜日を示す文字が記載された内側のストレートラインスタンプ枠２５ａにスタンプが捺印されていなくても、土曜日又は日曜日を示す文字が記載された外側のストレートラインスタンプ枠２５ｂにスタンプが捺印されれば、そのストレートライン２３は完成したこととなり、顧客は特典を得ることができる。
【００５１】
上記のような構成により、顧客はより少ないスタンプ数で特典を得ることができるので、コネクターライン２９の矢尻形状部２９ａとは反対側の他端に配置されるストレートラインスタンプ枠２５にスタンプを捺印するための所定の条件を満たすために来店および購入するという動機付けを顧客に与えることができる。したがって、例えば、その所定の条件を来店者数が少ない日、曜日、週又は期間に設定したり、より高い購入金額に設定することで、顧客の来店頻度や購入金額を効果的に高めることができるようになる。また、例えば、その所定の条件を特定の商品を購入することに設定することで、その商品のプロモーションにつながることとなる。
【００５２】
以上、第一の変形例に係るあみだくじゲーム欄１１０について説明した。次に、第二の変形例に係るあみだくじゲーム欄１２０について、図４を用いて説明する。ここで、図４は、第二の変形例に係るあみだくじゲーム欄の構成例を示す概略図である。なお、上述した実施形態と同一又は類似する構成については、同じ符号を付して説明を省略する場合がある。
【００５３】
図４に示すように、第二の変形例に係るあみだくじゲーム欄１２０は、中心に配置される中心スタンプ枠２１と、中心スタンプ枠２１の中心から放射状に延びる複数のストレートライン２３と、複数のストレートライン２３上のそれぞれに、中心スタンプ枠２１の中心から外側に順次配置される複数のストレートラインスタンプ枠２５（２５ａ，２５ｂ）と、ストレートライン２３の外側端部に配置されるコンプリートマーク２７と、隣り合うストレートライン２３又はストレートラインスタンプ枠２５（２５ａ，２５ｂ）をつなぐコネクターライン２９と、コネクターライン２９上にスタンプが捺印されるコネクターラインスタンプ枠３１と、を含んで構成される。
【００５４】
図４に示すように、第二の変形例に係る複数のコネクターライン２９は、隣り合うストレートラインスタンプ枠２５ｂをつなぐ円弧形状の線であるとともに同一円周上に配置されている。なお、本例では、外側のストレートラインスタンプ枠２５ｂの全てをつなぐように、当該ストレートラインスタンプ枠２５ｂの間にコネクターライン２９が配置されているが、コネクターライン２９の数や配置は適宜変更可能である。
【００５５】
コネクターラインスタンプ枠３１は、コネクターライン２９上に配置されるスタンプが捺印される枠である。コネクターラインスタンプ枠３１には、図４に示すように、何も記載しなくてもよいし、写真、図形、文字、記号および数字のいずれか１つ又はこれらの組み合わせで構成されることとしてもよい。なお、本例では、コネクターラインスタンプ枠３１が配置されないコネクターライン２９が存在するが、全てのコネクターライン２９上にコネクターラインスタンプ枠３１を設置してもよい。
【００５６】
本例では、図４に示すように、コネクターラインスタンプ枠３１がその上に配置されるコネクターライン２９は、その一端又は両端に矢尻形状部２９ａを有して構成される。コネクターライン２９において矢尻形状部２９ａとは反対側の他端に配置されるストレートラインスタンプ枠２５ｂにスタンプが捺印されると、顧客が所定の条件を満たしたことに基づきコネクターラインスタンプ枠３１にスタンプを捺印することができるようになっている。所定の条件は、上述した場合と同様に、顧客の購入金額が所定の金額以上であった場合や特定の商品を購入した場合などとすることができる。そして、コネクターラインスタンプ枠３１にスタンプが捺印されると、矢尻形状部２９ａの矢印の方向で示されるとともに、そのストレートラインスタンプ枠２５ｂと隣り合って配置されるストレートラインスタンプ枠２５ｂにスタンプを捺印することができる。ここで、コネクターラインスタンプ枠３１にスタンプが捺印される所定の条件は、例えば、顧客の購入金額が３０００円以上である場合として、以下の説明を行う。
【００５７】
図４において、例えば、白抜きで表された星形の記号が記載されるストレートラインスタンプ枠２５ａにスタンプが捺印されて黒色で表された星形の記号が記載されるストレートラインスタンプ枠２５ｂにスタンプが捺印された後、顧客の購入金額が３０００円以上であった場合、顧客がコネクターラインスタンプ枠３１にスタンプが捺印されることを選択し、さらに、スタンプが捺印されるコネクターラインスタンプ枠３１を選択すると、コネクターラインスタンプ枠３１にスタンプが捺印される。そして、コネクターラインスタンプ枠３１にスタンプが捺印されると、コネクターラインスタンプ枠３１がその上に配置されるコネクターライン２９の矢尻形状部２９ａの矢印の方向で示されるとともに、そのコネクターラインスタンプ枠３１と隣り合うストレートラインスタンプ枠２５ｂにスタンプを捺印することができる。
【００５８】
より詳しくは、顧客がコネクターラインスタンプ枠３１にスタンプが捺印されることを選択すると、黒色で表された星形の記号が記載されるストレートラインスタンプ枠２５ｂから時計回り方向又は反時計回り方向に略２２．５°回転した位置に配置される２つのコネクターラインスタンプ枠３１のいずれかを選択し、選択されたコネクターラインスタンプ枠３１にスタンプが捺印されることとなる。ここで、顧客が、例えば、時計回り方向に略２２．５°回転した位置に配置されるコネクターラインスタンプ枠３１にスタンプを捺印することを選択し、当該コネクターラインスタンプ枠３１にスタンプが捺印された場合、顧客が日曜日に来店して所定の条件を満たしたことに基づき日曜日を示す文字が記載される外側のストレートラインスタンプ枠２５ｂにスタンプが捺印される。この場合、外側のストレートラインスタンプ枠２５ｂにスタンプが捺印されれば、そのストレートライン２３は完成したこととなるので、日曜日を示す文字が記載される内側のストレートラインスタンプ枠２５ａにスタンプが捺印されていなくても、顧客はアラビア数字の“１”に対応した特典を得ることができる。このような構成により、例えば、来店頻度を高めることができない顧客や特定の曜日に２回来店することができない顧客も、購入金額を高めることでキャンペーンに参加できるようになっている。
【００５９】
以上、第二の変形例に係るあみだくじゲーム欄１２０について説明した。次に、第三の変形例に係るあみだくじゲーム欄１３０について、図５を用いて説明する。ここで、図５は、第三の変形例に係るあみだくじゲーム欄の構成例を示す概略図である。なお、上述した実施形態と同一又は類似する構成については、同じ符号を付して説明を省略する場合がある。
【００６０】
図５に示すように、第三の変形例に係るあみだくじゲーム欄１３０は、中心に配置される中心スタンプ枠２１と、中心スタンプ枠２１の中心から放射状に延びる複数のストレートライン２３と、複数のストレートライン２３上のそれぞれに、中心スタンプ枠２１の中心から外側に順次配置される複数のストレートラインスタンプ枠２５（２５ａ，２５ｂ）と、ストレートライン２３の外側端部に配置されるコンプリートマーク２７と、隣り合うストレートライン２３又はストレートラインスタンプ枠２５（２５ａ，２５ｂ）をつなぐコネクターライン２９と、を含んで構成される。
【００６１】
図５に示すように、第三の変形例に係る複数のコネクターライン２９は、隣り合うストレートラインスタンプ枠２５ｂをつなぐ円弧形状の線であるとともに同一円周上に配置されている。本例に係るコネクターライン２９は、全ての外側のストレートラインスタンプ枠２５ｂをつなぐことで外側のストレートラインスタンプ枠２５ｂを際立たせるとともに、纏まった印象を与えて意匠性に優れたあみだくじゲーム欄１３０を提供可能としている。なお、複数のコネクターライン２９は、内側のストレートラインスタンプ枠２５ａの全てをつなぐこととしてもよい。
【００６２】
以上、第三の変形例に係るあみだくじゲーム欄１３０について説明した。次に、第四の実施形態に係るあみだくじゲーム欄１４０および特典表４０について、図６および図７を用いて説明する。ここで、図６は、第四の変形例に係るあみだくじゲーム欄の構成例を示す概略図であり、図７は、第四の変形例に係る特典表を例示する概略図である。なお、上述した実施形態と同一又は類似する構成については、同じ符号を付して説明を省略する場合がある。
【００６３】
第四の実施例に係るあみだくじゲーム欄１４０は、中心に配置される中心スタンプ枠２１と、中心スタンプ枠２１の中心から放射状に延びる複数のストレートライン２３と、複数のストレートライン２３上のそれぞれに、中心スタンプ枠２１の中心から外側に順次配置される複数のストレートラインスタンプ枠２５（２５ａ，２５ｂ）と、ストレートライン２３の外側端部に配置されるコンプリートマーク２７と、を含んで構成される。
【００６４】
図６に示すように、本例では、中心スタンプ枠２１およびストレートラインスタンプ枠２５（２５ａ，２５ｂ）には、何も記載されていないが、写真、図形、文字、記号および数字のいずれか１つ又はこれらの組み合わせで構成されることとしてもよい。
【００６５】
第四の変形例に係るコンプリートマーク２７は、ストレートライン２３の外側端部であって最も外側のストレートラインスタンプ枠２５ｂと重畳して配置される。本例では、コンプリートマーク２７の形状は星形に形成されている。しかし、コンプリートマーク２７は、スタンプ枠２１，２５と区別可能であれば、どのような形状であってもよい。本例では、複数のコンプリートマーク２７を区別するために、複数のコンプリートマーク２７の中に、例えば１から３０までの任意のアラビア数字が記載されている。
【００６６】
図７に示すように、本例に係る特典表４０は、複数のコンプリートマーク２７のそれぞれを表すコンプリートマーク表示欄４１と、顧客が得られる特典を示す特典表示欄４３と、から構成される。
【００６７】
コンプリートマーク表示欄４１は、複数のコンプリートマーク２７のそれぞれを表すものであり、区別された複数のコンプリートマーク２７を区別するための方法により記載される。本実施例のように、複数のコンプリートマーク２７を区別するために、複数のコンプリートマーク２７の中に１から３０までのアラビア数字が記載されている場合には、コンプリートマーク表示欄４１には、複数のコンプリートマーク２７の中に記載された１から３０までのアラビア数字が記載される。
【００６８】
特典表示欄４３は、コンプリートマーク表示欄４１に表されたコンプリートマーク２７が配置されるストレートライン２３上の最も外側のストレートラインスタンプ枠２５ｂが捺印された場合に、顧客が得られる特典を示すものである。
【００６９】
上述した実施形態と同様に、特典表４０は、キャンペーン実施期間後に、例えば、店頭で発表されることとすることができる。キャンペーン実施期間後に特典表４０が発表されることにより、キャンペーン実施期間中、顧客は何を得られるのか期待しつつキャンペーンに参加することができる。したがって、本考案によれば、顧客の来店頻度や購入金額を効果的に高めることができるとともに、顧客の継続的な参加を促すことが可能な販売促進用あみだくじゲーム式カード１０を提供することができる。
【００７０】
まず、本例では、顧客が所定の条件を満たしたことに基づき、中心スタンプ枠２１にスタンプが捺印される。中心スタンプ枠２１にスタンプが捺印された後、顧客が所定の条件を満たすと、内側のストレートラインスタンプ枠２５ａにスタンプが捺印されることとなる。ここで、本例では、顧客が複数の内側のストレートラインスタンプ枠２５ａの中からスタンプを捺印したいストレートラインスタンプ枠２５ａを選択して、選択されたストレートラインスタンプ枠２５ａにスタンプが捺印される。そして、内側のストレートラインスタンプ枠２５ａにスタンプが捺印されると、外側のストレートラインスタンプ枠２５ｂにスタンプを捺印することができる。
【００７１】
本例では、顧客がスタンプを捺印するストレートラインスタンプ枠２５（２５ａ，２５ｂ）を選択して、外側のストレートラインスタンプ枠２５ｂにスタンプが捺印されると、当該ストレートラインスタンプ枠２５ｂに重畳して配置されるコンプリートマーク２７の中に記載されるアラビア数字に応じて、顧客は特典を得ることができる。
【００７２】
中心スタンプ枠２１にスタンプが捺印された後、顧客が、例えば、アラビア数字の“１”がその中に記載されるコンプリートマーク２７が配置されるストレートライン２３上の全てのストレートラインスタンプ枠２５（２５ａ，２５ｂ）にスタンプが捺印されて、このストレートライン２３を完成させた場合、図７に示される特典表４０において、アラビア数字の“１”が記載されるコンプリートマーク表示欄４１に対応する特典表示欄４３に記載される“１００ポイント”が特典として顧客に付与される。また、例えば、顧客が、アラビア数字の“２８”がその中に記載されるコンプリートマーク２７が配置されるストレートライン２３上の全てのストレートラインスタンプ枠２５（２５ａ，２５ｂ）にスタンプが捺印されて、このストレートライン２３を完成させた場合、図７に示される特典表４０において、アラビア数字の“２８”が記載されるコンプリートマーク表示欄４１に対応する特典表示欄４３に記載される“商品Ａ”が特典として顧客に付与される。
【００７３】
本例では、顧客が、例えば、コンプリートマーク２７の中に記載されるアラビア数字に基づいて完成させたいストレートライン２３を選択し、当該ストレートライン２３上のストレートラインスタンプ枠２５（２５ａ，２５ｂ）にスタンプが捺印されることで、後日発表される特典を得ることができるようになっている。したがって、本例に係るあみだくじゲーム欄１４０を備える販売促進用あみだくじゲーム式カード１０によれば、あみだくじゲームの遊戯性を高めることができ、顧客の来店頻度や購入金額を効果的に高めることができるとともに顧客の継続的な参加を促すことが可能となる。
【００７４】
以上、第四の変形例に係るあみだくじゲーム欄１４０および特典表４０について説明した。次に、第二の実施形態に係るあみだくじゲーム欄２００を備える販売促進用あみだくじゲーム式カード２０について、図８を用いて説明する。ここで、図８は、第二の実施形態に係るあみだくじゲーム欄を有する販売促進用あみだくじゲーム式カードの構成例を示す概略図である。なお、上述した実施形態と同一又は類似する構成については、同じ符号を付して説明を省略する場合がある。
【００７５】
第二の実施形態に係るあみだくじゲーム欄２００は、最初にスタンプが捺印される第一スタンプ枠１２１と、第一スタンプ枠１２１から延びる複数のストレートライン１２３と、複数のストレートライン１２３上のそれぞれに、第一スタンプ枠１２１の近傍から順次配置される複数のストレートラインスタンプ枠１２５（１２５ａ，１２５ｂ）と、ストレートライン１２３の端部に配置されるコンプリートマーク１２７と、を含んで構成される。
【００７６】
第一スタンプ枠１２１は、顧客が所定の条件を満たしたことに基づき、最初にスタンプが捺印されるスタンプ枠である。本実施形態では、第一スタンプ枠１２１は、細長い矩形状を有して形成されているが、異なる形状を有して形成されていてもよい。第一スタンプ枠１２１には、図８に示すように、何も記載しなくてもよいし、写真、図形、文字、記号および数字のいずれか１つ又はこれらの組み合わせで構成されることとしてもよい。
【００７７】
ストレートライン１２３は、第一スタンプ枠１２１から延びる線である。本実施形態では、７本のストレートライン１２３が下方に延びることとしているが、上方や左右方向に延びて形成されてもよいし、ストレートライン１２３の数は適宜変更することが可能であり、また、複数のストレートライン１２３が異なる長さを有して形成されてもよい。
【００７８】
ストレートライン１２３上には、第一スタンプ枠１２１の近傍から順次配置される複数のストレートラインスタンプ枠１２５（１２５ａ，１２５ｂ）が配置される。ストレートラインスタンプ枠１２５（１２５ａ，１２５ｂ）には、写真、図形、文字、記号および数字のいずれか１つ又はこれらの組み合わせで構成されることとすることができる。図８に示すように、本実施形態では、７本のストレートライン１２３上に２個のストレートラインスタンプ枠１２５（１２５ａ，１２５ｂ）が配置されており、２個のストレートラインスタンプ枠１２５（１２５ａ，１２５ｂ）に、同一の曜日を示す文字が記載されている。このような構成により、同じ曜日にしか来店できない顧客に対してキャンペーンへの参加を促すことができるようになっている。
【００７９】
コンプリートマーク１２７は、ストレートライン１２３の端部に配置されるマークである。本実施形態では、コンプリートマーク１２７の形状は星形に形成されている。しかし、コンプリートマーク１２７は、スタンプ枠１２１，１２５と区別可能であれば、どのような形状であってもよい。
【００８０】
次に、第二の実施形態に係るあみだくじゲーム欄２００を備える販売促進用あみだくじゲーム式カード２０の使用方法を説明する。まず、本実施形態に係る販売促進用あみだくじゲーム式カード２０では、キャンペーン実施期間の前の特定の期間、又は、キャンペーン実施期間の前の特定の期間およびキャンペーン実施期間に、顧客が所定の条件を満たしたことに基づき、第一スタンプ枠１２１にスタンプが捺印される。
【００８１】
第一スタンプ枠１２１にスタンプが捺印された販売促進用あみだくじゲーム式カード２０を有する顧客が、ストレートラインスタンプ枠１２５ａに記載されたいずれかの曜日に所定の条件を満たしたことに基づき、第一スタンプ枠１２１に最も近いストレートラインスタンプ枠１２５ａにスタンプが捺印される。いずれかの曜日を示す文字が記載される第一スタンプ枠１２１に最も近いストレートラインスタンプ枠１２５ａにスタンプが捺印された後、当該同じ曜日に来店した顧客が所定の条件を満たしたことに基づき、ストレートラインスタンプ枠１２５ａよりも第一スタンプ枠１２１から遠いストレートラインスタンプ枠１２５ｂにスタンプが捺印される。
【００８２】
本実施形態では、ストレートライン１２３上の第一スタンプ枠１２１、第一スタンプ枠１２１に最も近いストレートラインスタンプ枠１２５ａ、および第一スタンプ枠１２１から最も遠いストレートラインスタンプ枠１２５ｂにスタンプが捺印されると、そのストレートライン１２３上のスタンプ枠１２１，１２５（１２５ａ，１２５ｂ）が全て埋められて完成したこととなり、顧客は当該ストレートライン１２３に応じたポイントや景品などの所定の特典を得ることができる。
【００８３】
また、第二の実施形態では、上述した実施形態と同様に、例えば、複数のコンプリートマーク１２７の中又は外方近傍に、異なる写真、図形、文字、記号又は数字を配置したり、複数のコンプリートマーク１２７のそれぞれが異なる形状又は色を有して形成されて、複数のコンプリートマーク１２７を区別し、当該区別するための方法によって、複数のコンプリートマーク１２７のそれぞれがコンプリートマーク表示欄４１に記載される（図２および図７参照）。特典表示欄４３には、コンプリートマーク表示欄４１に応じて顧客が得られるポイントや特定の商品などの特典が記載される（図２および図７参照）。
【００８４】
以上、第二の実施形態に係るあみだくじゲーム欄２００を備える販売促進用あみだくじゲーム式カード２０について説明した。次に、第三の実施形態に係るあみだくじゲーム欄３００を備える販売促進用あみだくじゲーム式カード３０について、図９を用いて説明する。ここで、図９は、第三の実施形態に係るあみだくじゲーム欄を有する販売促進用あみだくじゲーム式カードの構成例を示す概略図である。なお、上述した実施形態と同一又は類似する構成については、同じ符号を付して説明を省略する場合がある。
【００８５】
第三の実施形態に係るあみだくじゲーム欄３００は、最初にスタンプが捺印される第一スタンプ枠１２１（１２１ａ，１２１ｂ，１２１ｃ，１２１ｄ，１２１ｅ）と、第一スタンプ枠１２１から延びる複数のストレートライン１２３と、複数のストレートライン１２３上のそれぞれに配置される複数のストレートラインスタンプ枠１２５と、ストレートライン１２３の端部に配置されるコンプリートマーク１２７と、隣り合うストレートライン１２３又はストレートラインスタンプ枠１２５をつなぐコネクターライン１２９と、コネクターライン１２９上にスタンプが捺印されるコネクターラインスタンプ枠１３１と、を含んで構成される。
【００８６】
本実施形態では、顧客の購入金額が１０００円、２０００円、３０００円、５０００円、および１００００円以上であった場合にスタンプが捺印される５個の第一スタンプ枠１２１（１２１ａ，１２１ｂ，１２１ｃ，１２１ｄ，１２１ｅ）を備える。なお、第一スタンプ枠１２１の数および顧客が満たすことにより第一スタンプ枠１２１にスタンプが捺印されるための所定の条件は、適宜変更することができる。第一スタンプ枠１２１の数を増減した場合、それに伴ってストレートライン１２３の数も増減されることとなる。また、本実施形態では、第一スタンプ枠１２１は、細長い矩形形状を５分割した形状を有して形成されているが、第一スタンプ枠１２１の形状はこれに限定されず、異なる形状を有して形成されていてもよい。
【００８７】
本実施形態に係るストレートラインスタンプ枠１２５は、複数のストレートライン１２３上のそれぞれに１個備えられているが、その個数は適宜変更可能である。
【００８８】
本実施形態に係るコネクターライン１２９は、隣り合うストレートライン１２３をつなぐように形成される。本実施形態に係る複数のコネクターライン１２９は、図９に示すように、紙面上の左方向から右方向に向けて下降する階段状に形成されている。また、コネクターライン１２９は、その一端に矢尻形状である矢尻形状部１２９ａを有して構成される。さらに、コネクターライン１２９上には、スタンプが捺印されるコネクターラインスタンプ枠１３１が配置される。
【００８９】
本実施形態では、顧客が所定の条件を満たしたことに基づき、コネクターラインスタンプ枠１３１にスタンプが捺印されると、コネクターライン１２９の矢尻形状部１２９ａの矢印の方向で示されるストレートライン１２３に移動することができる。
【００９０】
本実施形態では、ストレートラインスタンプ枠１２５にスタンプが捺印されると、そのストレートライン１２３上のスタンプ枠１２１，１２５が全て埋められて完成したこととなり、顧客は当該ストレートライン１２３に応じたポイントや景品などの所定の特典を得ることができる。
【００９１】
上述した実施形態と同様に、例えば、複数のコンプリートマーク１２７の中又は外方近傍に、異なる写真、図形、文字、記号又は数字を配置したり、複数のコンプリートマーク１２７のそれぞれが異なる形状又は色を有して形成されて、複数のコンプリートマーク１２７を区別し、当該区別するための方法によって、複数のコンプリートマーク１２７のそれぞれがコンプリートマーク表示欄４１に記載される（図２および図７参照）。特典表示欄４３には、コンプリートマーク表示欄４１に応じて顧客が得られるポイントや特定の商品などの特典が記載される（図２および図７参照）。ここで、本実施形態では、例えば、第一スタンプ枠１２１にスタンプを捺印するための条件が最も高い金額である１００００円以上である第一スタンプ枠１２１ｅが端部に配置されるストレートライン１２３上のストレートラインスタンプ枠１２５にスタンプが捺印されて当該ストレートライン１２３が完成した場合に得られる特典を最も高いポイントや景品とすることができる。このような構成により、本実施形態によれば、顧客の来店頻度や購入金額を効果的に高めることができる。
【００９２】
次に、第三の実施形態に係るあみだくじゲーム欄３００を備える販売促進用あみだくじゲーム式カード３０の使用方法を説明する。まず、本実施形態に係る販売促進用あみだくじゲーム式カード３０では、例えば、キャンペーン実施期間中に、顧客が第一スタンプ枠１２１（１２１ａ，１２１ｂ，１２１ｃ，１２１ｄ，１２１ｅ）に記載される所定の条件を満たしたことに基づき、第一スタンプ枠１２１（１２１ａ，１２１ｂ，１２１ｃ，１２１ｄ，１２１ｅ）のいずれかにスタンプが捺印される。その後、顧客が所定の条件を満たすと、ストレートラインスタンプ枠１２５又はコネクターラインスタンプ枠１３１のいずれかを選択して、選択されたスタンプ枠１２５，１３１にスタンプが捺印される。
【００９３】
より詳しくは、例えば、キャンペーン実施期間中に顧客の購入金額が１０００円以上２０００円未満であった場合、紙面上の一番左の第一スタンプ枠１２１ａにスタンプが捺印される。紙面上の一番左の第一スタンプ枠１２１ａにスタンプが捺印された後、顧客が所定の条件を満たすと、顧客はストレートラインスタンプ枠１２５又はコネクターラインスタンプ枠１３１のどちらかにスタンプが捺印されることを選択することができる。顧客がストレートラインスタンプ枠１２５にスタンプが捺印されることを選択して当該ストレートラインスタンプ枠１２５にスタンプが捺印されると、１０００円を示す文字が記載された第一スタンプ枠１２１ａが端部に備えられるストレートライン１２３が完成したこととなり当該ストレートライン１２３に応じた特典を得ることができる。一方、顧客がコネクターラインスタンプ枠１３１にスタンプが捺印されることを選択して当該コネクターラインスタンプ枠１３１にスタンプが捺印されると、２０００円を示す文字が記載される第一スタンプ枠１２１ｂが端部に備えられるストレートライン１２３に移動することができる。そして、顧客が所定の条件を満たすと、２０００円を示す文字が記載される第一スタンプ枠１２１ｂが端部に備えられるストレートライン１２３上のストレートラインスタンプ枠１２５又はコネクターラインスタンプ枠１３１のどちらかにスタンプが捺印されることを選択することができる。顧客がストレートラインスタンプ枠１２５にスタンプが捺印されることを選択して当該スタンプ枠１２５にスタンプが捺印されると、２０００円を示す文字が記載された第一スタンプ枠１２１ｂが端部に備えられるストレートライン１２３が完成したこととなり当該ストレートライン１２３に応じた特典を得ることができる。一方、顧客がコネクターラインスタンプ枠１３１にスタンプが捺印されることを選択して当該スタンプ枠１３１にスタンプが捺印されると、３０００円を示す文字が記載される第一スタンプ枠１２１ｃが端部に備えられるストレートライン１２３に移動することができる。そして、顧客が所定の条件を満たすと、３０００円を示す文字が記載される第一スタンプ枠１２１ｃが端部に備えられるストレートライン１２３上のストレートラインスタンプ枠１２５又はコネクターラインスタンプ枠１３１にスタンプのどちらかにスタンプが捺印されることを選択することができる。顧客がストレートラインスタンプ枠１２５にスタンプが捺印されることを選択して当該スタンプ枠１２５にスタンプが捺印されると、３０００円を示す文字が記載された第一スタンプ枠１２１ｃが端部に備えられるストレートライン１２３が完成したこととなり当該ストレートライン１２３に応じた特典を得ることができる。一方、顧客がコネクターラインスタンプ枠１３１にスタンプが捺印されることを選択して当該スタンプ枠１３１にスタンプが捺印されると、５０００円を示す文字が記載される第一スタンプ枠１２１ｄが端部に備えられるストレートライン１２３に移動することができる。そして、顧客が所定の条件を満たすと、５０００円を示す文字が記載される第一スタンプ枠１２１ｄが端部に備えられるストレートライン１２３上のストレートラインスタンプ枠１２５又はコネクターラインスタンプ枠１３１にスタンプのどちらかにスタンプが捺印されることを選択することができる。顧客がストレートラインスタンプ枠１２５にスタンプが捺印されることを選択して当該スタンプ枠１２５にスタンプが捺印されると、５０００円を示す文字が記載された第一スタンプ枠１２１ｄが端部に備えられるストレートライン１２３が完成したこととなり当該ストレートライン１２３に応じた特典を得ることができる。一方、顧客がコネクターラインスタンプ枠１３１にスタンプが捺印されることを選択して当該スタンプ枠１３１にスタンプが捺印されると、１００００円を示す文字が記載される第一スタンプ枠１２１ｅが端部に備えられるストレートライン１２３に移動することができる。そして、顧客が所定の条件を満たすと、１００００円を示す文字が記載される第一スタンプ枠１２１ｅが端部に備えられるストレートライン１２３上のストレートラインスタンプ枠１２５にスタンプが捺印されて１００００円を示す文字が記載された第一スタンプ枠１２１ｅが端部に備えられるストレートライン１２３が完成したこととなり当該ストレートライン１２３に応じた特典を得ることができる。
【００９４】
上記のような構成により、本考案によれば、顧客の来店頻度や購入金額を効果的に高めることができるとともに、顧客の継続的な参加を促すことが可能な販売促進用あみだくじゲーム式カード３０を提供することができる。
【００９５】
以上、本考案の好適な実施形態について説明したが、本考案の技術的範囲は上記実施形態に記載の範囲には限定されない。上記実施形態には、多様な変更又は改良を加えることが可能である。
【００９６】
例えば、キャンペーン実施期間中の週毎にスタンプを変更する、又はスタンプに日付を入れることとすることにより、例えば、複数のストレートラインスタンプ枠２５，１２５に同一曜日を示す文字が記載されている場合、同日に当該スタンプ枠２５，１２５にスタンプが捺印されることを防ぐことができ、顧客の来店頻度を高めることが可能である。
【００９７】
また、上述した実施形態では、図１、図３ないし図５、および図９に示すように、ストレートラインスタンプ枠２５，１２５に曜日を示す文字のみが記載されているが、本発明の範囲はこれに限定されず、例えば、日付を示すアラビア数字と併せて曜日を示す文字を記載することとしてもよい。このような構成により、複数のストレートラインスタンプ枠２５，１２５に同一曜日を示す文字が記載されている場合、同日に当該スタンプ枠２５，１２５にスタンプが捺印されることを防ぐことができ、顧客の来店頻度を高めることが可能である。
【００９８】
さらに、上述した販売促進用あみだくじゲーム式カード１０，２０，３０では、キャンペーン実施期間中の特定の日にち等に顧客が所定の条件を満たした場合に、顧客が選択するスタンプ枠２５，３１，１２５，１３１にスタンプが捺印される“チャンスデー”を設けることができる。このような構成により、スタンプ枠２５，３１，１２５，１３１に示される日にち等が既に過ぎ去った過去の日にちであっても、当該スタンプ枠２５，３１，１２５，１３１にスタンプを捺印することが可能となるので、顧客のキャンペーンへの継続的な参加を促すことが可能となる。この“チャンスデー”は、特定の一又は複数の日にち等とすることができ、例えば、“チャンスデー”を来店者数が少ない日、曜日、週又は期間に設定することで、顧客の来店頻度を高めることが可能である。
【００９９】
また、上述した販売促進用あみだくじゲーム式カード１０，２０，３０では、図１、図８および図９に示すように、キャンペーン実施期間の日にちが記載されているが、例えば、スタンプ枠にスタンプが捺印される日にちを写真、図形、文字、記号および数字のいずれか１つ又はこれらの組み合わせで特定したカレンダーが表示されていてもよい。また、このようなカレンダーとキャンペーン実施期間の日にちとが併せて表示されていてもよい。
【０１００】
その様な変更又は改良を加えた形態も本考案の技術的範囲に含まれ得ることが、実用新案登録請求の範囲の記載から明らかである。
【符号の説明】
【０１０１】
１０，２０，３０  販売促進用あみだくじゲーム式カード、１００，１１０，１２０，１３０，１４０，２００，３００  あみだくじゲーム欄、２１  中心スタンプ枠、２３  ストレートライン、２５（２５ａ，２５ｂ）  ストレートラインスタンプ枠、２７  コンプリートマーク、２９  コネクターライン、２９ａ  矢尻形状部、３１  コネクターラインスタンプ枠、４０  特典表、４１  コンプリートマーク表示欄、４３  特典表示欄、１２１（１２１ａ，１２１ｂ，１２１ｃ，１２１ｄ，１２１ｅ）  第一スタンプ枠、１２３  ストレートライン、１２５（１２５ａ，１２５ｂ）  ストレートラインスタンプ枠、１２７  コンプリートマーク、１２９  コネクターライン、１２９ａ  矢尻形状部、１３１  コネクターラインスタンプ枠。
【図１】
0003210978.tif 000003
【図２】
0003210978.tif 000004
【図３】
0003210978.tif 000005
【図４】
0003210978.tif 000006
【図５】
0003210978.tif 000007
【図６】
0003210978.tif 000008
【図７】
0003210978.tif 000009
【図８】
0003210978.tif 000010
【図９】
0003210978.tif 000011